(57)【要約】【課題】広範囲の処理対象面に対して、効率よく、かつ、むらなく、なおかつ、周囲に排水を飛散させることなく表面処理を行うことができるミストジェット装置を提案する。【解決手段】処理対象面１１に沿って移動する走行手段２と、処理対象面１１と平行で、かつ、走行手段２の進行方向と交差する方向に揺動する移動ノズルヘッドと、移動ノズルヘッドを覆う飛散防止カバー３と、飛散防止カバー３の内側空間に連通された吸引手段６とを備えるミストジェット装置１。飛散防止カバー３は、走行手段２とともに移動する。移動ノズルヘッドは、処理対象面に対して垂直な回転軸を中心に回転し、この移動ノズルヘッドには、処理対象面に高圧水を噴射するノズルが移動ノズルヘッドの中心からずれた位置に設けられている。【選択図】図１
2020078770.tif 000002
【特許請求の範囲】
【請求項１】
処理対象面に沿って移動する走行手段と、
前記処理対象面と平行で、かつ、前記走行手段の進行方向と交差する方向に揺動する移動ノズルヘッドと、
前記移動ノズルヘッドを覆う飛散防止カバーと、
前記飛散防止カバーの内側空間に連通された吸引手段と、を備えるミストジェット装置であって、
前記飛散防止カバーは、前記走行手段とともに移動し、
前記移動ノズルヘッドは、前記処理対象面に対して垂直な回転軸を中心に回転し、
前記移動ノズルヘッドには、前記処理対象面に高圧水を噴射するノズルが前記移動ノズルヘッドの中心からずれた位置に設けられていることを特徴とする、ミストジェット装置。
【請求項２】
前記飛散防止カバー内に、同期揺動する複数の前記移動ノズルヘッドを備えていることを特徴とする、請求項１に記載のミストジェット装置。
【請求項３】
前記飛散防止カバー内に設けられた固定ノズルヘッドを備えており、
前記固定ノズルヘッドは、前記移動ノズルヘッドの移動範囲の端部近傍に設けられているとともに、前記処理対象面と交差する直線と平行な回転軸を中心に回転し、
前記固定ノズルヘッドには、前記処理対象面に高圧水を噴射するノズルが前記固定ノズルヘッドの中心からずれた位置に設けられていることを特徴とする、請求項１または請求項２に記載のミストジェット装置。
【請求項４】
前記移動ノズルヘッドは、複数のノズルを備えていることを特徴とする、請求項１乃至請求項３のいずれか１項に記載のミストジェット装置。
【請求項５】
前記飛散防止カバーは、前記走行手段に対して進退可能であることを特徴とする、請求項１乃至請求項４のいずれか１項に記載のミストジェット装置。
【発明の詳細な説明】
【技術分野】
【０００１】
本発明は、ミストジェット装置に関する。
【背景技術】
【０００２】
構造物の表面処理方法として、ミストジェット（必要最低限の水量を使用したウォータージェット）を構造物の表面に吹き付ける方法が知られている。例えば、鋼製の補強材により表面が被われた壁高欄では、長期間使用することにより補強材の表面に生じた錆をミストジェットにより除去する場合がある。また、建物の外壁等では、劣化した塗装等の除去や、コンクリート構造物のレイタンス処理等にミストジェットを使用する場合もある。
【０００３】
ミストジェットによる構造物の表面処理は、先端に噴射ノズルが設けられたウォータージェットガンまたはウォータージェットランスを作業員が操作することにより、高圧水を処理対象面に吹き付けるのが一般的である。ところが、ウォータージェットガンやウォータージェットランスを使用する工法では、処理対象面に吹き付けられた高圧水が、剥離物とともに周囲に飛散してしまうため、周囲の清掃作業に手間がかかる。
【０００４】
そのため、特許文献１には、工具本体と、工具本体に回転可能に設けられた二つの回転ノズル本体と、この二つの回転ノズル本体を取り囲むシール部材と、工具本体に形成された吸引口とを備える工具が開示されている。特許文献１の工具によれば、回転ノズル本体の周囲にシール部材が設けられているため、水の飛散を防止できる。二つの回転ノズル本体は、中心部から放射状に延設されたロータアームと、ロータアームに設置された複数のノズルとを備えている。二つの回転ノズル本体の間では、各回転ノズル本体のロータアームが重複して通過する。
【先行技術文献】
【特許文献】
【０００５】
【特許文献１】特開２０１５−５１７４２２号公報
【発明の概要】
【発明が解決しようとする課題】
【０００６】
特許文献１の工具を利用した表面処理工法は、二つの回転ノズル本体同士の間と、それ以外の部分において、高圧水の噴射量が異なるため、表面処理にムラが生じてしまう。また、特許文献１の工具は、二つの回転ノズル本体の位置に対応する範囲しか高圧水が噴射されないため、処理対象面の面積が大きい場合には、工具を上下左右に移動させる必要があった。
【０００７】
このような観点から、本発明は、広範囲の処理対象面に対して、効率よく、かつ、むらなく、なおかつ、周囲に排水を飛散させることなく表面処理を行うことができるミストジェット装置を提案することを課題とする。
【課題を解決するための手段】
【０００８】
前記課題を解決するための本発明は、処理対象面に沿って移動する走行手段と、前記処理対象面と平行で、かつ、前記走行手段の進行方向と交差する方向に揺動する移動ノズルヘッドと、前記移動ノズルヘッドを覆う飛散防止カバーと、前記飛散防止カバーの内側空間に連通された吸引手段とを備えるミストジェット装置である。前記飛散防止カバーは前記走行手段とともに移動し、前記移動ノズルヘッドは前記処理対象面に対して垂直な回転軸を中心に回転し、前記移動ノズルヘッドには前記処理対象面に高圧水を噴射するノズルが前記移動ノズルヘッドの中心からずれた位置に設けられている。
【０００９】
本発明のミストジェット装置によれば、移動ノズルヘッドが処理対象面に対して揺動（往復動）するため、広範囲の表面処理を効率的かつムラなく行うことができる。また、飛散防止カバーにより周囲に排水などが飛散することを防止できる。
【００１０】
なお、前記ミストジェット装置は、前記飛散防止カバー内に、同期揺動する複数の前記移動ノズルヘッドを備えているのが望ましい。かかるミストジェット装置によれば、広範囲に対して、より効率的に表面処理を行うことができる。
【００１１】
前記ミストジェット装置は、前記飛散防止カバー内において、前記移動ノズルヘッドの移動範囲の端部近傍に設けられているとともに、前記処理対象面と交差する直線と平行な回転軸を中心に回転する固定ノズルヘッドを備えているのが望ましい。かかるミストジェット装置によれば、移動ノズルヘッドの移動範囲の端部に対して、固定ノズルヘッドから噴射された高圧水による集中的な表面処理が可能となる。なお、この固定ノズルヘッドにおいては、前記処理対象面に高圧水を噴射するノズルが前記固定ノズルヘッドの中心からずれた位置に設けられているのが望ましい。
【００１２】
また、前記移動ノズルヘッドは、複数の前記ノズルを備えているのが望ましい。かかるミストジェット装置によれば、回転する移動ノズルヘッドによって面的に高圧水を噴射することができるため、表面処理をより効率的に実行できる。
【００１３】
なお、前記飛散防止カバーは、前記走行手段に対して進退可能であれば、処理対象面に対するミストジェット装置の据え付け作業がより簡易となる。
【発明の効果】
【００１４】
本発明のミストジェット装置によれば、広範囲の処理対象面に対して、効率よく、かつ、むらなく、なおかつ、周囲に排水を飛散させることなく表面処理を行うことが可能となる。
【図面の簡単な説明】
【００１５】
【図１】本実施形態に係るジェットミスト装置の概要を示す図であって、（ａ）は塗装装置の進行方向後側から望む側面図、（ｂ）は平面図である。
【図２】飛散防止カバーの内部を示す正面図である。
【図３】走行手段を示す側面図である。
【図４】移動ノズルヘッドのノズルの概要を示す説明図である。
【図５】吸引手段を示す斜視図である。
【発明を実施するための形態】
【００１６】
本実施形態では、供用中の道路に設けられた既設の壁高欄１０に対して必要最低限の水量の高圧水（ミストジェット）を吹き付けて、劣化した塗膜や錆等を除去する表面処理工事について説明する。壁高欄１０の表面処理は、図１（ａ）および（ｂ）に示すように、壁高欄１０の延長方向に沿って移動するミストジェット装置１を利用して行う。
【００１７】
ミストジェット装置１は、図１および図２に示すように、走行手段２と、飛散防止カバー３と、移動ノズルヘッド４と、固定ノズルヘッド５と、吸引手段６とを備えている。ミストジェット装置１は、壁高欄１０の延長方向に沿って一定の速度で移動しながら、壁高欄１０の表面（処理対象面１１）にミストジェットを吹き付ける。
【００１８】
走行手段２は、壁高欄１０の道路側において、処理対象面（壁高欄１０の表面）に沿って移動する。走行手段２は、移動ノズルヘッド４および固定ノズルヘッド５から壁高欄１０に向けて噴射されたミストジェットの圧力によってブレない重量を有している必要がある。図３に示すように、本実施形態では、走行手段２としてハンドガイド式の締固め機を使用する。走行手段２は、前後に配設された円柱状のローラー２１，２１が回動する。走行手段２は、壁高欄１０に沿って、一定の速度で走行するように調整されており、走行手段２と並走するオペレーターがハンドル２２を操作することで進行方向等の微調整（ブレ等の調整）を行う。なお、走行手段２を構成する機械は限定されるものではない。
【００１９】
図１（ａ）に示すように、走行手段２の一方の側面（壁高欄１０側の側面）には、飛散防止カバー３が取り付けられている。飛散防止カバー３は、走行手段２から側方に延設されたシリンダー２３の先端に取り付けられている。シリンダー２３は、伸縮可能である。すなわち、飛散防止カバー３は、シリンダー２３により走行手段２に対して進退可能である。シリンダー２３の基端は走行手段２の側面に取り付けられており、シリンダー２３の先端は飛散防止カバー３の背面に固定されている。シリンダー２３と走行手段２との取付部およびシリンダー２３と飛散防止カバー３との取付部は、いずれも走行手段２の進行方向と平行な横軸を中心に回動可能である。
【００２０】
本実施形態では、シリンダー２３の中間部から走行手段２の側面に延びる補助シリンダー２４を備えている。補助シリンダー２４は、シリンダー２３の下側に設けられている。補助シリンダー２４を伸縮させることで、飛散防止カバー３が上下動する。本実施形態では、シリンダー２３としてエアシリンダー、補助シリンダー２４として油圧シリンダーを使用するが、シリンダー２３および補助シリンダー２４のシリンダータイプは限定されるものではない。
【００２１】
飛散防止カバー３は、図１（ａ）に示すように、走行手段２と、壁高欄１０（処理対象面）との間に設けられている。シリンダー２３を介して走行手段２に連結されていることで、飛散防止カバー３は、走行手段２とともに壁高欄１０に沿って移動する。なお、飛散防止カバー３の走行手段２への取り付け方法は限定されるものではない。例えば、走行手段２に固定された鋼材を介して飛散防止カバー３を固定してもよいし、走行手段２がアームを有している場合には当該アームの先端に飛散防止カバー３を取り付けてもよい。
【００２２】
飛散防止カバー３は、鋼板からなり、壁高欄１０（処理対象面）側が開口した箱型に形成されている。飛散防止カバー３の形状および飛散防止カバー３を構成する材料は限定されるものではない。図２に示すように、飛散防止カバー３の内空中央部には、移動ノズルヘッド４を保持するレール部材４３が固定されているとともに、レール部材４３の上下端側方にそれぞれ固定ノズルヘッド５が固定されている。すなわち、飛散防止カバー３は、移動ノズルヘッド４および固定ノズルヘッド５を覆っている。飛散防止カバー３には、必要に応じてＬ形鋼等からなる補強部材を添設する。
【００２３】
飛散防止カバー３の開口部の周縁（処理対象面側の端部）には、止水手段３１が設置されている。止水手段３１の構成は限定されるものではないが、本実施形態では、外側に設けられたブラシ３２と、ブラシ３２の内周面に沿って設けられたゴム板３３とにより構成されている。ゴム板３３には、複数の切れ目が設けられている。なお、止水手段３１は、ブラシ３２およびゴム板３３の両方を備えている必要はなく、いずれか一方のみであってもよい。また、ゴム板３３には、切れ目が入っていないものを使用してもよい。また、止水手段３１は、飛散防止カバー３の全周にわたって設けていなくてもよい。
【００２４】
図１（ａ）および（ｂ）に示すように、飛散防止カバー３には、壁高欄１０の表面（処理対象面）に沿って走行する車輪３４が飛散防止カバー３の進行方向前後にそれぞれ設けられている。車輪３４が壁高欄１０の表面（本実施係タオでは側面）を走行することで、飛散防止カバー３（移動ノズルヘッド４および固定ノズルヘッド５）と壁高欄１０との距離が一定に保たれる。なお、車輪３４は、必要に応じて設ければよい。また、車輪３４の数および配置は限定されるものではない。
【００２５】
移動ノズルヘッド４は、飛散防止カバー３内に配置されていて、処理対象面（壁高欄１０の表面）に対してミストジェットを吹き付ける。図２に示すように、移動ノズルヘッド４には、処理対象面に高圧水（必要最低限の水量を使用したウォータージェット）を噴射するためのノズル４１が移動ノズルヘッド４の中心からずれた位置に設けられている。本実施形態の各移動ノズルヘッド４には、四つのノズル４１，４１，…が設けられている。四つのノズル４１，４１，…は、移動ノズルヘッド４の周方向に等間隔に配設されている。なお、一つの移動ノズルヘッド４に設けられるノズル４１の数は限定されるものではなく、一つでもよいし、二つ以上であってもよい。また、ノズル４１の配置も限定されるものではなく、適宜設定すればよい。ノズル４１は、処理対象面に対して垂直（移動ノズルヘッド４の回転軸と平行）に高圧水を噴射する。
【００２６】
ノズル４１は、飛散防止カバー３を処理対象面１１の表面にセットした状態で、処理対象面に形成された突起物（例えばボルトやナット等）１２に接触することがないように、処理対象面１１に対して所定の距離を確保できるように設けられている。また、四つのノズル４１，４１，…は、図４に示すように、移動ノズルヘッド４内に配管されたミスト供給管４２に接続されている。ミスト供給管４２は、移動ノズルヘッド４内において分岐された分岐管である。ミスト供給管４２は、分岐後の管路４２ａが、ミストジェット（高圧水）の噴射方向に対して平行である。ここで、分岐後の管路４２ａの距離が長い方がミストジェットの処理対象面１１への衝突エネルギーが大きくなる。本実施形態では、分岐後の管路４２ａの距離を最大限確保できる距離とした。なお、管路４２ａの距離は限定されるものではない。
【００２７】
移動ノズルヘッド４は、処理対象面に対して垂直な回転軸を中心に回転可能である。本実施形態では、移動ノズルヘッド４の中央に回転軸を設けている。なお、移動ノズルヘッド４は、中央からずれた位置に設けられた回転軸を中心に回転してもよい。また、移動ノズルヘッド４は、上下方向に所定の距離にて往復移動（揺動）可能に設けられている。なお、移動ノズルヘッド４が往復移動する方向は、処理対象面と平行で、かつ、走行手段２の進行方向と交差する方向であれば限定されるものではなく、ミストジェットを吹き付ける部材の形状等に応じて適宜設定すればよい。
【００２８】
本実施形態のミストジェット装置１は、図２に示すように、三つの移動ノズルヘッド４，４，４を備えている。三つの移動ノズルヘッド４，４，４は、上下に並設されていて、各移動ノズルヘッド４の中心は、同一直線上にある。なお、ミストジェット装置１が有する移動ノズルヘッド４の数は三つに限定されるものではなく、一つでもよいし、二つまたは四つ以上であってもよい。また、複数の移動ノズルヘッド４は、必ずしも上下に並設されている必要はなく、各移動ノズルヘッド４の配置は適宜決定すればよい。
【００２９】
移動ノズルヘッド４は、同期して上下移動（同期揺動）する。上下に並設された移動ノズルヘッド４，４，４は、上下に方向に延設されたレール部材４３に保持されているとともに、このレール部材４３に沿って上下移動する。さらに、移動ノズルヘッド４の設置方法は限定されるものではなく、必ずしもレール部材４３によって保持する必要はない。
【００３０】
三つの移動ノズルヘッド４，４，４には、無端状のベルト４４が巻き付けられている。移動ノズルヘッド４は、ベルト４４を介して回転力が付与される。すなわち、三つの移動ノズルヘッド４，４，４は、同時に回転する。移動ノズルヘッド４は、飛散防止カバー３の上部に設けられた動力供給手段３５から供給された動力により、上下方向の往復動を行う。また、移動ノズルヘッド４は、図示しない送水ホースを介して貯水タンクに接続されており、貯水タンクから供給された水をノズル４１から噴射する。
【００３１】
固定ノズルヘッド５は、飛散防止カバー３内に配置されていて、処理対象面に対してミストジェットを吹き付ける。図２に示すように、固定ノズルヘッド５は、移動ノズルヘッド４の移動範囲の端部近傍に設けられている。本実施形態では、レール部材４３の上端部および下端部の側方に、それぞれ固定ノズルヘッド５が固定されている。すなわち、本実施形態のミストジェット装置１においては、二つの固定ノズルヘッド５が飛散防止カバー３内に設けられている。
【００３２】
固定ノズルヘッド５には、処理対象面に高圧水を噴射する二つのノズル５１，５１が、固定ノズルヘッド５の中心を挟んで対向する位置に配設されている。なお、固定ノズルヘッド５に設けられるノズル５１の数および配置は限定されるものではなく、一つでもよいし、三つ以上であってもよい。また、ノズル５１の配置も限定されるものではなく、適宜設定すればよい。固定ノズルヘッド５は、図示しない送水ホースを介して貯水タンクに接続されており、貯水タンクから供給された水をノズル５１から噴射する。固定ノズルヘッド５は、高圧水の噴射に伴って回転する。
【００３３】
下側に設けられた固定ノズルヘッド５（以下、「下固定ノズルヘッド５ａ」という）は、下向きに傾斜している。また、下固定ノズルヘッド５ａは、処理対象面と交差する直線と平行な回転軸を中心に回転可能である。本実施形態では、下固定ノズルヘッド５ａの中央に回転軸を設けている。なお、下固定ノズルヘッド５ａｂ、中央からずれた位置に設けられた回転軸を中心に回転してもよい。下固定ノズルヘッド５ａに設けられたノズル５１は、回転軸と平行な方向にミストジェットを噴射する。すなわち、下固定ノズルヘッド５ａに設けられたノズル５１の噴射方向は、処理対象面に対して傾斜している。本実施形態では、最も下側に設けられた移動ノズルヘッド４によるミストジェットの噴射領域と、下固定ノズルヘッド５ａによるミストジェットの噴射領域とが重なるように、下固定ノズルヘッド５ａの噴射方向が設定されている。また、下固定ノズルヘッド５ａは、飛散防止カバー３の外部にミストジェットが飛散することがないように、傾斜角度が設定されている。なお、飛散防止カバー３内には、固定ノズルヘッド５のミストジェットが外部に飛散することを防止するための、飛散防止板材が設けられていてもよい。
【００３４】
上側に設けられた固定ノズルヘッド５（以下、「上固定ノズルヘッド５ｂ」という）は、上向きに傾斜している。また、上固定ノズルヘッド５ｂは、処理対象面と交差する直線と平行な回転軸を中心に回転可能である。本実施形態では、上固定ノズルヘッド５ｂの中央に回転軸を設けている。なお、上固定ノズルヘッド５ｂは、中央からずれた位置に設けられた回転軸を中心に回転してもよい。上固定ノズルヘッド５ｂに設けられたノズル５１は、回転軸と平行な方向にミストジェットを噴射する。すなわち、上固定ノズルヘッド５ｂに設けられたノズル５１の噴射方向は、処理対象面に対して傾斜している。本実施形態では、最も上側に設けられた移動ノズルヘッド４によるミストジェットの噴射領域と、上固定ノズルヘッド５ｂによるミストジェットの噴射領域とが重なるように、上固定ノズルヘッド５ｂの噴射方向が設定されている。また、上固定ノズルヘッド５ｂは、飛散防止カバー３の外部にミストジェットが飛散することがないように、傾斜角度が設定されている。
【００３５】
吸引手段６は、図１および図２に示すように、吸引ホース６１と、吸引ホース６１に接続された吸着フィルター（図示せず）と、吸着フィルターに接続された吸引ブロア（図示せず）とを備えている。吸引ホース６１は、一端が吸引口６２を介して飛散防止カバー３に接続されている。吸引ホース６１は、吸引口６２を介して、飛散防止カバー３の内側空間に連通されている。本実施形態では、飛散防止カバー３の上部中央と、下部の左右にそれぞれ吸引口６２が形成されている。すなわち、飛散防止カバー３には、３本の吸引ホース６１が接続されている。なお、吸引ホース６１の本数および接続箇所は限定されるものではない。
【００３６】
吸引口６２は、図５に示すように、飛散防止カバー３の内側に開口している。吸引ブロアによる吸引力が低下することがないように、吸引口６２の飛散防止カバー３内での開口面積を吸引ホース６１の内空面積以下とする。すなわち、吸引ブロアの風量と、吸引ホース６１による配管圧力損失等を考慮して、吸引力の低下が最小限となるように、吸引口６２の形状が設定されている。
【００３７】
吸引手段６は、飛散防止カバー３内のミストや浮遊物（壁高欄１０から剥離させた塗装や錆等）を吸引する。すなわち、吸引ブロアを起動させると、吸引ホース６１を介して、飛散防止カバー３内のミストとともに壁高欄１０から剥離させた浮遊物等が吸引される。飛散防止カバー３内から回収した浮遊物等は、吸引ホース６１を介して吸着フィルターに輸送された後、浮遊物が吸着フィルターに吸着される。
【００３８】
ミストジェット装置１を利用した表面処理工法は、まず、ミストジェット装置１を処理対象面（壁高欄１０）の前面に配置し、シリンダー２３を伸縮させるとともに回動させることで、飛散防止カバー３を処理対象面に添設させる。このとき、飛散防止カバー３の止水手段３１を処理対象面または処理対象面の周囲に当接させる。飛散防止カバー３を所定の位置にセットしたら、走行手段２を壁高欄１０の延長方向に沿って一定の速度で移動させながら、ノズル４１，５１からミストジェットを噴射する。このとき、三つの移動ノズルヘッド４，４，４が上下に往復動しつつ回転しながらミストジェットを噴射することで、太い帯状の領域に対して表面処理が行われる。また、上下の固定ノズルヘッド５が、回転しながらミストジェットを噴射することで、移動ノズルヘッド４，４，４により表面処理が行われた領域の上端部および下端部の表面処理を行う。なお、走行手段２は、壁高欄１０との離隔距離を一定の距離に維持したまま移動させる。
【００３９】
以上、本実施形態のミストジェット装置１によれば、移動ノズルヘッド４が処理対象面１１に対して上下に往復動（揺動）するため、広範囲の表面処理を効率的かつムラなく行うことができる。また、上下に並設された三つの移動ノズルヘッド４，４，４が同期して上下に往復移動するため、より効率的に表面処理を行うことができる。
【００４０】
また、固定ノズルヘッド５が飛散防止カバー３内の上下に配設されているため、移動ノズルヘッド４の移動範囲の上端部および下端部に対しては固定ノズルヘッド５が集中的に表面処理を行うことができ、ひいては、広範囲の表面処理をムラなく実施することができる。
また、飛散防止カバー３が走行手段２に対して進退可能であるため、処理対象面に対するミストジェット装置１の据え付け作業が容易である。また、飛散防止カバー３は、上下動可能であるため、処理対象物（壁高欄１０）の形状に応じて、適切な位置に飛散防止カバー３を配設することができる。
【００４１】
また、回転する移動ノズルヘッド４および固定ノズルヘッド５の各々にノズル４１，５１が分散配置されているため、面的に高圧水を噴射することができ、その結果、表面処理をより効率的に実行できる。また、ノズル４１，５１は、処理対象面１１から所定の間隔をあけて配置されているため、処理対象面１１が突起物１２を有していたとしても、接触することがない。
【００４２】
また、飛散防止カバー３により周囲に排水などが飛散することを防止できる。飛散防止カバー３は、止水手段３１を介して処理対象面１１に接しているため、飛散防止カバー３と処理対象面１１との隙間からミスト等が飛散することが防止されている。また、止水手段３１は、ブラシ３２およびゴム板３３により構成されているため、処理対象面１１に形成された突起物１２に接触したとしても、止水手段３１が変形する。そのため、突起物１２を避ける必要がなく、作業を効率的に実行できる。
【００４３】
以上、本発明に係る実施形態について説明した。しかし、本発明は前述の実施形態に限られず、各構成要素については本発明の趣旨を逸脱しない範囲で適宜変更が可能である。
前記実施形態では、壁高欄１０に対してミストジェットを吹き付ける場合について説明したが、表面処理を行う構造物は限定されるものではなく、例えば、トンネル壁面、下部構造の側面、建物の外壁など、あらゆる構造物に適用可能である。
【００４４】
前記実施形態では、走行手段２を手動で調整する場合について説明したが、走行手段２は、自動制御により駆動させてもよい。すなわち、走行手段２として、処理対象面１１との距離を測定するセンサを備えた無人化機械を使用し、処理対象面１１との距離を一定に保ったまま、一定の速度で移動するように制御してもよい。
また、ミストジェット装置１は、自動的にミストジェットの噴射や停止を制御するように構成されていてもよいし、遠隔操作可能であってもよい。
【符号の説明】
【００４５】
１    ミストジェット装置
１０  壁高欄（被塗装物）
１１  処理対象面
２    走行手段
３    飛散防止カバー
３１  止水手段
４    移動ノズルヘッド
４１  ノズル
４３  レール部材
４４  ベルト
５    固定ノズルヘッド
５１  ノズル
６    吸引手段
６１  吸引ホース
【図１】
2020078770.tif 000003
【図２】
2020078770.tif 000004
【図３】
2020078770.tif 000005
【図４】
2020078770.tif 000006
【図５】
2020078770.tif 000007